(57)【要約】      （修正有）【課題】通気性と快適性にすぐれる多目的通気性枕を提供する。【解決手段】通気性枕は枕本体を含み、枕本体は、上層構造１０と下層構造からなる一体構造であり、上層構造と下層構造には、それぞれ上層構造と下層構造を連通するためのメッシュ通気孔１０５が設けられる。枕本体は、前端に位置する第１の枕部１０１、中央部に位置する第２の枕部１０４および第２の枕部の左右両側に位置する第３の枕部１０２を含み、第１の枕部の上面は中心が高く前面と背面が低い曲面構造を有する。枕本体の左右両側であって第１の枕部と第３の枕部の接続箇所に、枕本体の中心方向に窪む第１の溝１０７が設けられ、第２の枕部の上面は中央が低く左右両側が高い曲面構造を有する。第２の枕部であって第１の枕部との接続箇所に、枕本体の下方に窪む第２の溝１０３が設けられ、第３の枕部の上面は中央が高く周りが低い曲面構造を有する。【選択図】図１
0003227251.tif 000002
【実用新案登録請求の範囲】
【請求項１】
枕本体を含み、
前記枕本体は上層構造（１０）と下層構造（１１）からなる一体構造であり、前記上層構造（１０）と前記下層構造（１１）上に、それぞれ前記上層構造（１０）と前記下層構造（１１）を連通するためのメッシュ通気孔が設けられ、前記枕本体は、前端に位置する第１の枕部（１０１）、中央部に位置する第２の枕部（１０４）および前記第２の枕部（１０４）の左右両側に位置する第３の枕部（１０２）を含み、前記第１の枕部（１０１）の上面は前記枕本体の長手方向に沿って中心が高く前面と背面が低い曲面構造を有し、前記枕本体の左右両側であって前記第１の枕部（１０１）と前記第３の枕部（１０２）の接続箇所に、前記枕本体の中心方向に窪む第１の溝（１０７）が設けられ、前記第２の枕部（１０４）の上面は前記枕本体の幅方向に沿って中央が低く左右両側が高い曲面構造を有し、前記第２の枕部（１０４）であって前記第１の枕部（１０１）と前記第２の枕部（１０４）の接続箇所に、前記枕本体の下方に窪む第２の溝（１０３）が設けられ、前記第３の枕部（１０２）の上面は中央が高く周りが低い曲面構造を有することを特徴とする多用途の通気性枕。
【請求項２】
前記メッシュ通気孔は、前記上層構造（１０）上に位置する第１のメッシュ構造（１０５）と前記下層構造（１１）上に位置する第２のメッシュ構造（１１１）を含み、前記第１のメッシュ構造（１０５）と前記第２のメッシュ構造（１１１）はともに上下端が開いた正三角形プリズム構造であることを特徴とする請求項１に記載の多用途の通気性枕。
【請求項３】
前記第２のメッシュ構造（１１１）のサイズが、前記第１のメッシュ構造（１０５）のサイズよりも大きいことを特徴とする請求項２に記載の多用途の通気性枕。
【請求項４】
前記第１のメッシュ構造（１０５）の上方に向って開いた端であって、前記第１のメッシュ構造（１０５）の側壁にそれぞれ第１のグルーブ（１０６）が設けられ、前記第２のメッシュ構造（１１１）の下方に向かって開いた端であって、前記第２のメッシュ構造（１１１）の側壁にそれぞれ第２のグルーブ（１１２）が設けられることを特徴とする請求項２に記載の多用途の通気性枕。
【請求項５】
前記第１のグルーブ（１０６）と前記第２のグルーブ（１１２）は「Ｖ」字形構造であることを特徴とする請求項４に記載の多用途の通気性枕。
【請求項６】
前記第１のグルーブ（１０６）と前記第２のグルーブ（１１２）の深さは３-１０ｍｍであり、前記第１のグルーブ（１０６）と前記第２のグルーブ（１１２）の最大幅は３-１０ｍｍであることを特徴とする請求項５に記載の多用途の通気性枕。
【請求項７】
前記第３の枕部（１０２）は、前記第１の枕部（１０１）と第２の枕部（１０４）の接続箇所からそれぞれ前記枕本体の左右両側に延びる翼状構造であり、前記第２の枕部（１０４）の上面後側は、前記枕本体の下方に延びる曲面構造を有することを特徴とする請求項１に記載の多用途の通気性枕。
【請求項８】
前記第２の枕部（１０４）の高さが、前記第１の枕部（１０１）と前記第３の枕部（１０２）の高さよりも小さく、且つ前記第２の枕部（１０４）の後側から前記第１の枕部（１０１）の前側までの距離が、前記第３の枕部（１０２）の後側から前記第１の枕部（１０１）の前側までの距離よりも短いことを特徴とする請求項７に記載の多用途の通気性枕。
【請求項９】
前記第１の枕部（１０１）の最大高さが前記第３の枕部（１０２）の高さよりも小さく、且つ前記第１の枕部（１０１）の長さが前記第２の枕部（１０４）の左右両側に位置する２つの第３の枕部（１０２）間の距離よりも小さいことを特徴とする請求項８に記載の多用途の通気性枕。
【請求項１０】
前記枕本体の外側の周りに支持側縁（１２）が設けられ、前記支持側縁（１２）が前記上層構造（１０）と前記下層構造（１１）の外側の周りに設けられ、且つ前記上層構造（１０）および前記下層構造（１１）と一体構造を形成することを特徴とする請求項１に記載の多用途の通気性枕。
【考案の詳細な説明】
【技術分野】
【０００１】
本考案は、家庭用品の技術分野に関し、特に多用途の通気性枕に関する。
【背景技術】
【０００２】
枕は人々が快適に眠るために使用する充填物品である。現在、ほとんどの枕は記憶フォームやラテックスなどの素材で作られているが、そのような素材は通気性が低く、枕の快適性に影響を与える。さらに、現在の枕は単一の用途を持ち、頭を上げる機能しか持たないため、他の用途には適していない。なお、現在の枕は人間工学に基づいて設計されていないため、人々が枕の上に横になると、ほとんどの圧力が首に集中し、このような枕を長期間使用すると、人々はよく眠れず、不眠症や肩凝りの問題も発生する可能性がある。
【考案の概要】
【考案が解決しようとする課題】
【０００３】
本考案の目的は、多用途の通気性枕を提供し、従来技術における不十分な通気性および不十分な快適性の技術的問題を解決することができる。本考案によって提供される様々な技術的解決策のうちの好ましい技術的解決策によって生み出され得る技術的効果を、以下詳細に説明する。
【０００４】
上記の目的を達成するために、本考案は次のような技術的解決策を提供する。
【０００５】
本考案によって提供される多用途の通気性枕は、枕本体を含み、前記枕本体は上層構造と下層構造からなる一体構造であり、前記上層構造と前記下層構造上にそれぞれ前記上層構造と前記下層構造を連通するためのメッシュ通気孔が設けられ、前記枕本体は、前端に位置する第１の枕部、中央部に位置する第２の枕部および前記第２の枕部左右両側に位置する第３の枕部を含み、前記第１の枕部の上面は前記枕本体の長手方向に沿って中心が高く前面と背面が低い曲面構造を有し、前記枕本体の左右両側であって前記第１の枕部と前記第３の枕部の接続箇所に、前記枕本体の中心方向に窪む第１の溝が設けられ、前記第２の枕部の上面は前記枕本体の幅方向に沿って中央が低く左右両側が高い曲面構造を有し、前記第２の枕部であって前記第１の枕部と前記第２の枕部の接続箇所に、前記枕本体の下方に窪む第２の溝が設けられ、前記第３の枕部の上面は中央が高く周りが低い曲面構造を有する。
【０００６】
好ましい実施形態によれば、前記メッシュ通気孔は、前記上層構造上に位置する第１のメッシュ構造と前記下層構造上に位置する第２のメッシュ構造を含み、前記第１のメッシュ構造と前記第２のメッシュ構造はともに上下端が開いた正三角形プリズム構造である。
【０００７】
好ましい実施形態によれば、前記第２のメッシュ構造のサイズが前記第１のメッシュ構造のサイズよりも大きい。
【０００８】
好ましい実施形態によれば、前記第１のメッシュ構造の上方に開いた端に向かって前記第１のメッシュ構造の側壁上にそれぞれ第１のグルーブが設けられ、前記第２のメッシュ構造の下方に開いた端であって前記第２のメッシュ構造の側壁上にそれぞれ第２のグルーブが設けられる。
【０００９】
好ましい実施形態によれば、前記第１のグルーブと前記第２のグルーブは「Ｖ」字形構造である。
【００１０】
好ましい実施形態によれば、前記第１のグルーブと前記第２のグルーブの深さが３-１０ｍｍであり、前記第１のグルーブと前記第２のグルーブの最大幅が３-１０ｍｍである。
【００１１】
好ましい実施形態によれば、前記第３の枕部は、前記第１の枕部と第２の枕部の接続箇所からそれぞれ前記枕本体の左右両側に延びる翼状構造であり、前記第２の枕部の上面後側は前記枕本体の下方に延びる曲面構造である。
【００１２】
好ましい実施形態によれば、前記第２の枕部の高さが前記第１の枕部と前記第３の枕部の高さよりも小さく、且つ前記第２の枕部の後側から前記第１の枕部の前側までの距離が前記第３の枕部の後側から前記第１の枕部の前側までの距離よりも小さい。
【００１３】
好ましい実施形態によれば、前記第１の枕部の最大高さが前記第３の枕部の高さよりも小さく、且前記第１の枕部の長さが前記第２の枕部左右両側に位置する２つの第３の枕部間の距離よりも小さい。
【００１４】
好ましい実施形態によれば、前記枕本体の外側の周りに支持側縁が設けられ、前記支持側縁が前記上層構造と前記下層構造の外側の周りに設けられ前記上層構造および前記下層構造と一体構造を形成する。
【００１５】
上記の技術的解決策によれば、本考案の多用途の通気性枕は少なくとも以下の技術効果を有する。
【００１６】
本考案によって提供される多用途の通気性枕は枕本体を含み、枕本体は上層構造と下層構造からなる一体構造であり、製造工程が簡単である。上層構造と下層構造上にそれぞれ上層構造と下層構造を連通するためのメッシュ通気孔が設けられ、本考案の通気性枕は上下方向に十分に通気され、熱を適時に放熱し、枕の快適性を向上できる。他方、本考案の実施例のメッシュ通気孔は正三角形プリズム構造を有し、該構造のメッシュ通気孔は、側壁間の引張と曲げにより睡眠時の首への圧力を分散し、枕との接触部分の圧力を最小限に抑え、首に過度の圧力をかけないようにして、睡眠をより快適にする。他方、本考案の実施例の多用途の通気性枕は、メッシュ通気孔の側壁に「Ｖ」字形構造の第１のグルーブと第２のグルーブが設けられているため、枕を平面に接触しても空気循環に影響を与えずに通気性を維持することができる。
【００１７】
さらに、本考案の多用途の通気性枕は、前端に位置する第１の枕部、中央部に位置する第２の枕部および第２の枕部の左右両側に位置する第３の枕部を含み、枕本体の左右両側であって第１の枕部と第３の枕部の接続箇所に、枕本体の中心方向に窪む第１の溝が設けられ、第１の溝の設置により、うつ伏せで寝たり、携帯電話で遊んだり、本を読んだりするときに手と腕を伸ばすことができ、より便利で快適になる。本考案の多用途の通気性枕は、第２の枕部であって第１の枕部と第２の枕部の接続箇所に、枕本体の下方に窪む第２の溝が設けられる。第２の枕部の上面は枕本体の幅方向に沿って中央が低く左右両側が高い曲面構造を有し、第２の枕部と第２の溝の設置により、人は頭を第２の溝に入れて横になり、頭と首の曲線に完全にフィットするので、枕が効果的に頸椎を支持することができる。他方、本考案の多用途の通気性枕の第１の枕部の上面は、枕本体の長手方向に沿って中心が高く前面と背面が低い曲面構造を有し、このようにすれば、枕が反対方向に使用されるとき、すなわち、頭が第２の溝にあり、第１の枕が首にあるとき、第１の枕は頸椎を効果的に支持することができる。本考案の実施例の多用途枕の第３の枕部の上面は中央が高く周りが低い曲面構造を有し、且つ第３の枕部は第１の枕部と第２の枕部の接続箇所からそれぞれ枕本体の左右両側に延びる翼状構造であり、このようにして、横になったときにサイドヘッドを支えるのに便利である。
【図面の簡単な説明】
【００１８】
本考案の実施例または従来技術の技術的解決策をより明確に説明するために、以下では、実施例または従来技術の説明に必要な図面を簡単に説明するが、以下説明する図面は本考案のいくつかの実施例に過ぎず、当業者であれば、創造的な労働をせず、これらの図面に基づいて他の図面も得ることができるのは明らかである。
【図１】本考案の多用途の通気性枕の構造概略図である。
【図２】本考案の多用途の通気性枕の底面概略図である。
【図３】本考案の多用途の通気性枕の第１のメッシュ構造の概略図である。
【図４】本考案の多用途の通気性枕の第２のメッシュ構造の概略図である。
【図５】本考案の多用途の通気性枕の第２のメッシュ構造から第１のメッシュ構造に向かって見る図である。
【考案を実施するための形態】
【００１９】
本考案の用途、技術的解決策および利点をより明確にするために、本考案の技術的解決策を以下に詳細に説明する。明らかに、説明される実施例は、本考案の一部実施例に過ぎず、すべての実施例ではない。本考案の実施例に基づいて、当業者は創造的労働をせずに得られたすべての他の実施形態は、本考案の保護範囲に含まれる。
【００２０】
以下、図１〜図５を参照して本考案の技術的解決策を詳細に説明する。
【００２１】
なお、本明細書で言及される「前端」または「前側」とは、人が枕の上に横たわっているときの頭部の方向を指し、「後端」または「後側」とは、人が枕に横たわっているときの頭の反対方向を指す。
【００２２】
図１に示すように、本考案によって提供される多用途の通気性枕は、枕本体を含み、枕本体は上層構造１０と下層構造１１からなる一体構造である。好ましくは、本考案の枕本体は一体的に射出成形される。好ましくは、上層構造１０と下層構造１１にそれぞれ上層構造１０と下層構造１１を連通するためのメッシュ通気孔が設けられる。一方、上下連通のメッシュ通気孔により枕本体が良好な通気性を有して、熱を適時に放熱でき、睡眠時の快適性を高める。他方、上層構造と下層構造とがメッシュ通気孔構造によって互いに支持され、人が横たわっていると首への圧力を分散でき、睡眠が良くなる。好ましくは、枕本体は、前端に位置する第１の枕部１０１、中央部に位置する第２の枕部１０４および第２の枕部１０４の左右両側に位置する第３の枕部１０２を含む。好ましくは、枕本体の左右両側であって第１の枕部１０１と第３の枕部１０２の接続箇所に、枕本体の中心方向に窪む第１の溝１０７が設けられ、図１に示すように、第１の溝１０７により、うつ伏せで寝たり、携帯電話で遊んだり、本を読んだりするときに手と腕を伸ばし通気性枕の下方に置き、うつ伏せで寝ても疲れない。好ましくは、第２の枕部１０４であって第１の枕部１０１と第２の枕部１０４の接続箇所に、枕本体の下方に窪む第２の溝１０３が設けられる。第１の枕部１０１の上面は枕本体の長手方向に沿って中心が高く前面と背面が低い曲面構造を有し、枕を反対方向に使用するときに首を支持するために使用される。第２の枕部１０４の上面は枕本体の幅方向に沿って中央が低く左右両側が高い曲面構造を有し、第２の枕部と第２の溝の構造の設計により、人が枕の上に横たわるときに、頭を第２の溝内に、首を第２の枕部上に置き、第２の枕部と第２の溝の構造設計により枕を頭と首の曲線にうまくあわせることができ、睡眠がより快適になる。第３の枕部１０２の上面は中央が高く周りが低い曲面構造を有し、第３の枕部は人が横になった状態で側面頭部を支持するために用いられる。
【００２３】
好ましくは、図１および図２に示すように、メッシュ通気孔は、上層構造１０上に位置する第１のメッシュ構造１０５と、下層構造１１上に位置する第２のメッシュ構造１１１を含む。好ましくは、第１のメッシュ構造１０５と第２のメッシュ構造１１１はともに上下端が開いた正三角形プリズム構造である。正三角形プリズム構造のメッシュ通気孔によって、全体構造がより安定になる。
【００２４】
好ましくは、図５に示すように、図５は、本考案の多用途の通気性枕の第２のメッシュ構造から第１のメッシュ構造に向かって見る図である。すなわち、本考案の多用途の通気性枕の底面視のメッシュ構造であり、図５から分かるように、第２のメッシュ構造１１１のサイズが第１のメッシュ構造１０５のサイズよりも大きい。このようにして、上下層が互いに支持され、枕の支持感を強化できる。
【００２５】
図３および図４に示すように、好ましくは、第１のメッシュ構造１０５の上方の開口端に向かって第１のメッシュ構造１０５の側壁に、それぞれ第１のグルーブ１０６が設けられる。好ましくは、第２のメッシュ構造１１１の下方に開いた端であって第２のメッシュ構造１１１の側壁に、それぞれ第２のグルーブ１１２が設けられる。好ましくは、第１のグルーブ１０６と第２のグルーブ１１２は「Ｖ」字形構造である。第１のグルーブと第２のグルーブの設計により、平らな布製の枕カバーを使用したり、使用中に平らな表面に接触したりしても、空気循環に影響を与えず、睡眠時の通気性に影響を与えない。好ましくは、第１のグルーブ１０６と第２のグルーブ１１２の深さは３-１０ｍｍである。好ましくは、第１のグルーブ１０６と第２のグルーブ１１２の最大幅は３-１０ｍｍである。好ましくは、第１のグルーブと第２のグルーブはそれぞれ第１のメッシュ構造と第２のメッシュ構造の側壁の中間位置に設けられる。
【００２６】
好ましくは、図１に示すように、第３の枕部１０２は、第１の枕部１０１と第２の枕部１０４の接続箇所からそれぞれ枕本体の左右両側に延びる翼状構造である。好ましくは、第２の枕部１０４の上面後側は枕本体の下方に延びる曲面構造であり、首の曲線をさらにうまく合わせることができる。
【００２７】
好ましくは、第２の枕部１０４の高さは第１の枕部１０１と第３の枕部１０２の高さよりも小さく、且つ第２の枕部１０４の後側から第１の枕部１０１の前側までの距離は、第３の枕部１０２の後側から第１の枕部１０１の前側までの距離よりも小さい。好ましくは、第１の枕部１０１の最大高さは第３の枕部１０２の高さよりも小さく、且つ第１の枕部１０１の長さは第２の枕部１０４左右両側に位置する２つの第３の枕部１０２間の距離よりも小さい。好ましくは、第１の枕部１０１の長さは４７ｃｍである。好ましくは、枕本体左右両側に位置する２つの第３の枕部間の距離は５４ｃｍである。好ましくは、第１の枕部１０１の最大高さは７ｃｍである。好ましくは、第３の枕部１０２最外側の高さは８ｃｍであり、第３の枕部１０２中間位置の高さは９ｃｍであり、第３の枕部は人が横たわるときに頭を支持するために用いられる。好ましくは、第２の溝１０３の最低点の高さは４．５ｃｍである。このようにして、本考案の通気性枕は、より人間工学に適合する設計である。
【００２８】
好ましくは、図１および図２に示すように、枕本体の外側の周りに支持側縁１２が設けられる。支持側縁１２は上層構造１０と下層構造１１の外側の周りに設けられ、上層構造１０および下層構造１１と一体構造を形成する。支持側縁により、上層構造と下層構造がより強固になり、枕の安定性を高める。
【００２９】
本考案の多用途の通気性枕の枕本体は、ＴＰＥ熱可塑性エラストマー材料で射出成形されているため、通気性枕は柔軟で通気性が高く、かつ変形しない。本考案の多用途の通気性枕は、前向きに横になるだけでなく、逆向きにも使え、逆向きに使用するとき同様に頸椎をよく支持することができ、さらに、本考案の多用途の通気性枕は、うつ伏せで寝るときに、腕を第１の溝内に入れ、うつ伏せで寝ても疲れず、さらに、本考案の多用途の通気性枕は、うつ伏せで寝たり、携帯電話で遊んだり、本を読んだりするときに手と腕を第１の溝に通し枕本体の下方に置き、上半身が枕本体の上に横たわって使用でき、そして、本考案の多用途の通気性枕を背もたれとしても使用でき、用途が広い。
【００３０】
以上、本考案の具体的な実施形態を説明したが、本考案の保護範囲はこれに限定されなく、当業者であれば、本考案の技術範囲内で容易に想到できる様々な変更や置換は、本考案の保護範囲に含まれるのは言うまでもない。したがって、本考案の保護範囲は実用新案登録請求の範囲の保護範囲によって示される。
【符号の説明】
【００３１】
１０      上層構造
１１      下層構造
１２      支持側縁
１０１    第１の枕部
１０２    第３の枕部
１０３    第２の溝
１０４    第２の枕部
１０５    第１のメッシュ構造
１０６    第１のグルーブ
１０７    第１の溝
１１１    第２のメッシュ構造
１１２    第２のグルーブ
【図１】
0003227251.tif 000003
【図２】
0003227251.tif 000004
【図３】
0003227251.tif 000005
【図４】
0003227251.tif 000006
【図５】
0003227251.tif 000007